(57)【特許請求の範囲】
【請求項１】
前面側の傾斜面（５ａ）と後面側の傾斜面（５ａ）とを有し、嵌め込まれる部分が断面楔状をなすレンズ（５）をリム溝（３）内に嵌め込んで保持するようにした眼鏡のリム溝形状であって、
前記レンズ（５）の後面側の傾斜面（５ａ）と面接触し得る傾斜面（４ａ）と、この傾斜面（４ａ）の頂部（４ｂ）に連続する平坦面（４ｃ）と、この平坦面（４ｃ）に連続する起立面（４ｄ）とを有し、前記起立面（４ｄ）とリム（１）の前面との間に弾性変形可能な起立部（４ｅ）を形成し、
前記リム溝（３）の傾斜面（４ａ）が前記後面側の傾斜面（５ａ）に面接触するように、前記起立部（４ｅ）が前記レンズ（５）の前面側の傾斜面（５ａ）を押圧することを特徴とする眼鏡のリム溝形状。
【発明の詳細な説明】
【０００１】
【発明の属する技術分野】
この発明は眼鏡のリム溝形状に関し、特に、レンズカーブがハイカーブであってもリム溝から容易に離脱する恐れのない眼鏡のリム溝形状に関するものである。
【０００２】
【従来技術およびその問題点】
一般に眼鏡のリム溝は特開平５−１９２１１号に示すようなものが知られている。
【０００３】
【特許文献１】
特開平５−１９２１１号公報
【０００４】
この特許文献１に示すものは、金属製のリム溝内にレンズを嵌め込んだ場合や、樹脂製のリム溝内にレンズを嵌め込んだ場合について記載されている。
一般的には断面Ｖ字状のリム溝の角度と断面楔状のレンズの角度とがほぼ一致し、しかも深度もほぼ一致しているために、リム溝からレンズが離脱する恐れがあった。
この欠点を防止するために、リム溝のＶ字状の角度よりもレンズの楔状の角度を大きくするとともに、リム溝の深度をレンズの深度よりも大きくして離脱しないように構成してある。
【０００５】
このためにリム溝内にレンズを取り付ける時には角度と深度との関係によりリム溝を押し開いた状態で、リム溝内にレンズが嵌め込まれるようになり、これによりリム溝からのレンズの離脱を防止するようになっている。
【０００６】
しかしながら、現在、流行しているハイカーブレンズを使用する枠においては上記のように構成したとしてもレンズによってリムには局部的に大きな力が作用してしまいレンズが容易に外れてしまっていた。このために、レンズの前周縁および後周縁をリム溝に合致させて保持する、所謂フルリムタイプの枠には不向きとされていた。
この発明は、前記のような従来のもののもつ問題点を解決したものであって、ハイカーブレンズをリム溝に嵌め込んだ場合であってもリム溝内からレンズが容易に離脱することがない眼鏡のリム溝形状を提供することを目的とする。
【０００７】
【課題を解決するための手段】
この発明は、前面側の傾斜面と後面側の傾斜面とを有し、嵌め込まれる部分が断面楔状をなすレンズをリム溝内に嵌め込んで保持するようにした眼鏡のリム溝形状であって、前記レンズの後面側の傾斜面と面接触し得る傾斜面と、この傾斜面の頂部に連続する平坦面と、この平坦面に連続する起立面とを有し、前記起立面とリムの前面との間に弾性変形可能な起立部を形成し、前記リム溝の傾斜面が前記後面側の傾斜面に面接触するように、前記起立部が前記レンズの前面側の傾斜面を押圧する構成を有している。
【０００８】
【作用】
この発明は前記の構成を有しているので、フルリムタイプのフレームのリム溝内にハイカーブレンズの楔状の周縁部を嵌め込んだ時に、リム溝からレンズが外れるような力が作用した場合には、レンズの手前側の傾斜面をリム溝に設けた起立部が押圧することでリム溝の奥側の傾斜面にレンズの奥側の傾斜面を強く押圧して面接触させるようになる。これにより、リム溝からレンズが離脱する恐れが全く無いことになる。
【０００９】
【発明の実施の形態】
以下、この発明の実施の形態について説明する。
図１にはリムの溝がこの発明によるリム溝形状となっている眼鏡枠が示されており、図２にはリム溝にレンズを嵌め込んだ状態の概略図が、図３にはリム溝に嵌め込んだレンズがずれた状態の概略図がそれぞれ示されている。また、図４、図５は従来の一般的なリム溝およびレンズを示し、図４はリム溝にレンズを嵌め込んだ状態を示す概略図、図５はリム溝に嵌め込んだレンズがずれた状態の概略図がそれぞれ示されている。
【００１０】
この発明によるリム１は従来のものと同様に樹脂、チタン合金等で形成されていて所定の弾性を有している。また、金属製のものにあっては従来の金属製のものと同様にリム１の片面に切れ目２を入れて逃げ場所を作っておいてリム溝を広げ易くしている。このような切れ目２はリムのどこに設けても良いが、目立たないようにするにはブリッジ部分やブローチ部分の裏面に設けると良い。
【００１１】
また、リム溝３の形状は一般的なリム溝形状とした後に、前面１ａ側の傾斜面を、その頂部４ｂから前面１ａ側に彫り込んで平坦面４ｃを形成するとともに、リム１の前面から僅かに内方の部位から前記平坦面４ｃと直交するように彫り込んで起立面４ｄを形成し、起立面４ｄと前面１ａとで起立部４ｅを形成する。
【００１２】
このリム溝に関しては従来の一般的なリム溝１３およびレンズ１５の形状を図４および図５に示すが、リム溝１３はリム１１の前面１１ａと後面１１ｆとのほぼ中央部で頂部１４ｂを形成し、前面１１ａ方向および後面１１ｆ方向にそれぞれ傾斜面１４ａ、１４ａを形成する。
一方、レンズ１５においても中央部で頂部１５ｂを形成するとともに、この頂部１５ｂから前面１５ｃおよび後面１５ｄにかけてそれぞれ傾斜面１５ａ、１５ａを形成して断面楔状に形成してある。
なお、リム１１の幅とレンズ１５の幅は略一致している。
【００１３】
そして、レンズ１５をリム溝１３に嵌め込んだ時はリム溝１３の両傾斜面１４ａ、１４ａがレンズ１５の両傾斜面１５ａ、１５ａと合致した状態で保持されている。このため所謂、ハイカーブレンズを使用したフレームの場合にはレンズ１５によってリム溝１３に局部的に大きな力が作用してレンズ１５が容易に外れてしまった。すなわち、図５に示すようにリム溝１３の内部でレンズ１５がずれた場合にはリム溝１３の内部にレンズ１５を保持させる力は特別に作用しないので、頂部１５ｂが傾斜面１４ａを容易に滑ってしまい、これにより、リム溝１３からレンズ１５が外れてしまった。
【００１４】
しかしながら、図２および図３に示すようにリム溝３を形成した場合には、後面１ｆ側は傾斜面４ａに形成されるとともに、前面１ａ側は平坦面４ｃと起立面４ｄとによって起立部４ｅに形成され、しかも、この起立部４ｅは弾性変形可能に形成されている。
【００１５】
上記のようなリム溝３内にレンズを嵌め込んだ場合には、図２に示すようにリム溝３内にレンズ５が保持される。この状態、すなわち、リム溝の傾斜面４ａとレンズの奥側の傾斜面５ａとが面接触した状態から、レンズ５の中央部に奥側への力が作用した時はリム溝３の傾斜面４ａの端部を支点としてレンズ５の傾斜面５ａがずれることになる。
【００１６】
この時、レンズ５の頂部５ｂはリム溝３の平坦面４ｃを移動し、レンズ５の前面５ｃ側の傾斜面５ａが当初よりも大きな力で起立面４ｄを押圧することになる。言い換えれば、起立部４ｅが当初よりも大きな押圧力で前面５ｃ側の傾斜面５ａを押圧することになり、これにより、レンズ５がリム溝３から外れることは防止できる。
また、金属製のフレームに対してガラスやプラスチック製のレンズが大きく押圧されることになるが、前記起立部４ｅが弾性変形することでレンズ５の損傷は防止できる。
【００１７】
したがって、ハイカーブレンズを使用してもリム溝の形状を上記のように構成することでリム溝内にレンズの全周縁部を確実に嵌め込んで支持することができる。このことは、レンズに一時的に大きな力が作用してリム溝内でレンズがずれたとしても、起立部の弾性変形の作用によってレンズは当初の状態に復帰し常に初期の状態を保持することになる。
【００１８】
なお、前記実施例においては、リム溝の前面側を平坦面と起立面とで形成し、この起立面とリムの前周面との間で起立部を形成したが、要はリム溝におけるレンズの嵌め込み状態がずれた時にはレンズの前側傾斜面を起立部が押圧し、これによりレンズをリム溝に嵌め込むような押圧力が作用するように構成すれば良いものである。
【００１９】
【発明の効果】
この発明は前記のように、レンズの周縁形状を特別に加工することなく、リム溝の形状のうちの前面側の傾斜面を加工してレンズの頂部が変位するのを許容する平坦面と、この平坦面に連続する起立面とを形成して弾性変形可能な起立部を形成した。
これにより、リム溝にレンズが嵌め込まれた時はリム溝の後面の傾斜面とレンズの後面の傾斜面とが面接触し、しかも起立部が前面側の傾斜面を押圧するのでリム溝内にレンズが確実に保持される。
また、上記とは逆方向、すなわち、レンズの嵌め込んである部位を前面側に押圧して嵌め込みから離脱する方向の力が作用した場合にはリム溝の後面側の傾斜面とレンズの後面側の傾斜面との面接触が外れるとともに、レンズの頂部が移動して前面側の傾斜面が起立部を押圧して前方に弾性変形させ、これにより起立部がレンズを弾性的にリム溝内に押圧することになる。これによりレンズはリム溝内に確実に位置するとともに、当初の状態に復帰されて保持される。したがって、ハイカーブレンズであってもリム溝から離脱する恐れが全く無く、確実にリム溝内に保持される。
【図面の簡単な説明】
【図１】この発明によるリム溝形状となっている眼鏡枠の概略平面図である。
【図２】リム溝にレンズを嵌め込んだ状態の概略図である。
【図３】リム溝に嵌め込んだレンズが前方にずれた状態の概略図である。
【図４】従来のリム溝にレンズを嵌め込んだ状態を示す概略図である。
【図５】図４に示すもののレンズが前方にずれた状態の概略図である。
【符号の説明】
１、１１……リム
１ａ、５ｃ、１１ａ、１５ｃ……前面
１ｆ、５ｄ、１１ｆ、１５ｄ……後面
２……切れ目
３、１３……リム溝
４ａ、５ａ、１４ａ、１５ａ……傾斜面
４ｂ、５ｂ、１４ｂ、１５ｂ……頂部
４ｃ……平坦面
４ｄ……起立面
４ｅ……起立部
５、１５……レンズ
【図１】
0003910159.tif 000002
【図２】
0003910159.tif 000003
【図３】
0003910159.tif 000004
【図４】
0003910159.tif 000005
【図５】
0003910159.tif 000006